(57)【要約】      （修正有）【課題】持ち手の設置を任意自由にして形態の多様化を実現する手提げ袋を提供する。【解決手段】複数の紐状部材が、本体開口部上部からみたときに本体の重心を内包する多角形の須点部位にあたる本体側面部にそれぞれ一方の端部を固定して設けられ、そのうち、さらに上記重心を内包しうる多角形の頂点部位となる任意の紐状部材を選択し結束して手提げ用の持ち手とする。【選択図】図１
0003176885.tif 000002
【実用新案登録請求の範囲】
【請求項１】
複数の紐状部材が、本体開口部上部からみたときに本体の重心を内包する多角形の頂点部位にあたる本体側面部にそれぞれ一方の端部を固定して設けられ、そのうち、さらに上記重心を内包しうる多角形の頂点部位となる任意の紐状部材を選択し結束して手提げ用の持ち手とすることを特徴とする手提げ袋
【請求項２】
前記の持ち手として結束された紐状部材以外の残余の紐状部材を用いて、持ち手以外の本体にかかる結束又は装飾を行うことを特徴とする手提げ袋
【考案の詳細な説明】
【技術分野】
【０００１】  本考案は、本体開口部に沿って複数の紐状部材が固定され、そのうち任意の紐状部材を結束することで持ち手とする手提げ袋に関するものである。
【背景技術】
【０００２】  手提げ袋は、簡単な構造で様々な物品類を収容し、持ち運びが容易であるため、素材や意匠を含めさまざまな製品が流通し使用されている。【０００３】  しかし、多くの手提げ袋の基本構造は、袋状の本体両側面部に一対の持ち手が予め固定されており、本体形状については、側面形状、横断面形状（マチの有無）に多少の違いがある程度で、多様性は乏しいものであった。【０００４】  それゆえ、手提げ袋は本体側面部や持ち手の素材やデザイン、リボンやポケット、ボタン類等の付属品などにより外観上の意匠による商品の魅力づけにとどまるものとなっていた。
【考案の開示】
【考案が解決しようとする課題】
【０００５】  手提げ袋の基本構造は、側部や底部にマチのない合わせ縫い袋、マチを有する略長方体状の袋や、横断面形状が略円となる略円筒状の袋に対し、主には本体上部の開口部近傍に円弧上の持ち手の両端部が固定され、それが正面と対向面とで一対設けられたものになるため、手提げ袋の形態は限定されるものとなる。
【課題を解決するための手段】
【０００６】  本考案は、複数の紐状部材が、本体開口部上部からみたときに本体の重心を内包する多角形の頂点部位にあたる本体側面部にそれぞれ一方の端部を固定して設けられ、そのうち、さらに上記重心を内包しうる多角形の頂点部位となる任意の紐状部材を選択し結束して手提げ用の持ち手とすることで、本体における持ち手の設置を任意自由にでき手提げ袋の形態の多様化を実現するものである。【０００７】  さらには、前記の持ち手として結束された紐状部材以外の残余の紐状部材を用いて、持ち手以外の本体にかかる結束又は装飾を行うことができるため、単純な本体構成の中で、さらに多様な手提げ袋の形態を実現するものである。
【考案の効果】
【０００８】  上述のとおり、本考案の手提げ袋は、持ち手を予め固設せず複数設置された紐状部材を結ぶことで持ち手を自由に設置でき、また持ち手として利用しない紐状部材も袋開口部の簡易な閉口や、リボン状の結び方を施して本体を装飾したり、携帯電話や小物などを袋本体に吊下げるために利用したりなど、多用途に使用することができるため、手提げ袋の形態を著しく多様にすることができ楽しむことができる。
【考案を実施するための最良の形態】
【０００９】  本考案の手提げ袋は、袋状の本体に対して、開口部付近の側面部に一方を固定した紐状部材が四本以上設けられている。この紐状部材の設置個所は、本体を開口部上部からみたときに、本体の重心点を内包する多角形の各頂点にあたる箇所となる。このうち、持ち手とする紐状部材の固定箇所を頂点とする多角形が袋の重心を内包するように持ち手の選択を行い、それを結束することで、袋を安定的に提げることができる持ち手とすることができる。【００１０】  紐状部材は、いずれもが手提げ袋の持ち手となりうるものであるので、本体に対して十分な引っ張り強度を持って一端が固定されている必要があり、また部材そのものも手提げとしたときに十分な引っ張り強度を有する素材で形成されている必要がある。【００１１】  紐状部材の結束方法は、通常の紐結びの要領で結べばよいが、手提げとしたときに解けにくい紐結び方法を選択することが望ましい。手提げ袋の装飾のためにリボン結び（蝶結び）としてもよい。【００１２】  さらに紐状部材のそれぞれの長さは、すべてが同じ長さであってもよいし、それぞれがランダムな長さで設けられていてもよい。同様に、持ち手としての結束位置も紐状部材の任意の場所で結んでもよい。ただし、一人で提げるときは結束した持ち手は同じ長さであることが当然に望ましい。【００１３】  本考案では、手提げ袋の持ら手長さを随意変更する事ができるので、短い持ち手として手提げとする一方で、長い持ち手として肩掛けにするなど用途に応じて紐状部材の結束位置を調整することができるものである。【００１４】  よりユニークには、大人と子供が同じ手提げ袋を手提げするときに、手の高さが異なることに対応して、一方を長く、他方を短く結束して、一緒に手提げした時に袋本体が略水平に保たれるようにもできる。【００１５】  また、持ち手として結束する紐状部材を選択のうえは、本体の同じ側面に該当する紐状部材同士を結束してもよいし、開口部を跨いで紐状部材を結束してもよい。袋本体に物品を収容してから開口部を封じるごとく結束したうえで、さらにそれを持ち手として結束してもよい。【００１６】  また、紐状部材の持ち手としての選択は、偶数でもよいし、奇数でもよい。例えば３本の紐状部材を上述の通り選択し、それらを一緒に結束した持ち手とすることもできる。【００１７】  紐状部材の結束方法については、手提げ袋の用途、持ち手の意匠上の形態など機能や外観上の要求に応じて最適な方法を選択すればよく、本願で説明する結束方法以外にも自由で多様な結束方法が存在しうるものである。【００１８】  持ち手として結束される紐状部材以外の残余の紐状部材があるときは、袋内に収納してもよいし、袋開口部の簡易な閉口や、リボン状の結び方を施しで本体を装飾したり、携帯電話や小物などを袋本体に吊下げたり、多目的に利用することができる。【００１９】  上記のように、本考案の手提げ袋では、紐状部材の多様性、多用途性が最大の特徴となっている。このため、紐状部材の幅、材質や色彩、印刷・染色等の意匠などを装飾的観点で設定することで、さらに手提げ袋の形態の多様化を魅力あるものとすることができ好ましい。
【実施例】
【００２０】  以下、添付図面に従って一実施例を説明する。１は手提げ袋本体、２は複数配された紐状部材、３は紐状部材が結束されて形成された持ち手で、これは複数の紐状部材のうち、持ち手とする紐状部材の固定箇所を頂点とする多角形が袋の重心を内包するように持ち手の選択を行い、それを結束し持ち手としたものである。【００２１】  持ち手３は、本体側面の同じ側で結束されて一対の持ち手となっている。持ち手として結束されない紐状部材は、開口部を簡易に閉口するためにリボン結びにより装飾的に結束されている。当然に、手提げ袋の出し入れの際は、この閉口するためのリボンを解き行う。【００２２】  また容易に持ち手の結束を解き、また他の組み合わせでの持ち手を作ることもできる。持ち手３ａの結束を解き、他の組み合わせにより結びなおして持ち手３ｂの持ち手とすることも容易にできる。【００２３】  本考案の手提げ袋の持ち手の結束方法や紐状部材の選択は、上記の実施の形態に限定されず、複数設けられた紐状部材を任意に結束することで持ち手とする技術的思想と異ならない範囲で、多様で自由な紐状部材の利用が想定されうるが、それらも本考案の実用新案登録請求の範囲に含まれるものである。
【図面の簡単な説明】
【００２４】
【図１】本考案の手提げ袋の実施例を示す外観図である。
【図２】本考案の持ち手の結束の変更を示す図である。
【図３】本考案の紐状部材の配置と持ち手の結束箇所の位置の例を本体上部からみて示す図である。
【符号の説明】
【００２５】１    手提げ袋本体
２    紐状部材
３    持ち手
３ａ  持ち手の結束例
３ｂ  持ち手のまた別の結束例
４    本体の重心（仮想点）
５    本体の重心を内包しうる多角形の仮想線
【図１】
0003176885.tif 000003
【図２】
0003176885.tif 000004
【図３】
0003176885.tif 000005
【手続補正書】
【提出日】平成24年4月24日(2012.4.24)
【手続補正１】
【補正対象書類名】実用新案登録請求の範囲
【補正対象項目名】全文
【補正方法】変更
【補正の内容】
【実用新案登録請求の範囲】
【請求項１】
複数の紐状部材が、本体開口部上部からみたときに本体の重心を内包する多角形の頂点部位にあたる本体側面部にそれぞれ一方の端部を固定して設けられ、そのうち、さらに上記重心を内包しうる多角形の頂点部位となる任意の紐状部材を選択し結束して手提げ用の持ち手とすることを特徴とする手提げ袋
【請求項２】
前記の持ち手として結束された紐状部材以外の残余の紐状部材を用いて、持ち手以外の本体にかかる結束又は装飾を行うことを特徴とする請求項１記載の手提げ袋